(57)【特許請求の範囲】
【請求項１】
外箱と、
前記外箱内に設けられる槽と、
前記槽の上に設けられ、内部に給水経路を有し、外部の水源から供給される水を前記給水経路を通して前記槽内へ注水する注水部材と、
前記注水部材の上にあり且つ前記注水部材に対して水平方向に重なる位置に設けられ、前記水源と前記注水部材との間の経路を開閉可能に接続する給水弁と、を備え、
前記注水部材は、
前記給水弁の下にあって前記給水弁から漏れた水を受ける受部と、
前記受部にあって前記受部が受けた水を前記受部の外方へ導く導水経路と、
前記受部の下にあり且つ前記受部に対して水平方向に重ならない位置にあって、前記導水経路に導かれた水を前記槽内へ導く導出部と、を有している洗濯機。
【請求項２】
前記注水部材は、前記導水経路として、前記給水弁に対して水平方向の外側に導水壁を有している請求項１記載の洗濯機。
【請求項３】
前記注水部材は、前記導水経路として、前記給水弁に対して水平方向の内側に導水溝を有している請求項１又は２記載の洗濯機。
【請求項４】
外箱と、
前記外箱内に設けられる槽と、
前記槽の上に設けられ、内部に給水経路を有し、外部の水源から供給される水を前記給水経路を通して前記槽内へ注水する注水部材と、
前記注水部材の上にあり且つ前記注水部材に対して水平方向に重なる位置に設けられ、前記水源と前記注水部材との間の経路を開閉可能に接続する給水弁と、を備え、
前記注水部材は、
前記給水弁の下にあって前記給水弁から漏れた水を受ける受部と、
前記受部にあって前記給水経路に連通する連通孔と、を有している洗濯機。
【発明の詳細な説明】
【技術分野】
【０００１】
本発明の実施形態は、洗濯機に関する。
【背景技術】
【０００２】
従来、水道など外部の水源から供給される水を、給水弁および注水部材を介して槽内へ供給する構成の洗濯機がある。このような構成の洗濯機は、注水部材の内部に、予め仕上げ剤などの補助剤を投入しておくことで、注水部材の内部を通る水に補助剤を溶かし、これにより、補助剤が溶け込んだ水を槽内へ注水することができる。この給水弁および注水部材は、例えば引用文献１に記載のように、水槽および回転槽の回転軸が上下方向へ延びるいわゆる縦軸型の洗濯機においては、外箱の上部に装着されたトップカバー後部の内側に平面的に収納配置されている。
【先行技術文献】
【特許文献】
【０００３】
【特許文献１】特開２０１１−１０４１５０号公報
【発明の概要】
【発明が解決しようとする課題】
【０００４】
しかし、近年、洗濯機は、付加機能として乾燥機能などを備えるものが増えている。このような構成において、温風を供給する温風供給装置は、例えば給水弁や注水部材の周辺に配置されることが多い。そのため、給水弁や注水部材などを配置する空間が制約され、その結果、洗濯機全体としてのさらなる小型化が困難であった。
そこで、給水弁および注水部材を効率良く配置し、全体として小型化が可能な洗濯機を提供する。
【課題を解決するための手段】
【０００５】
本実施形態の洗濯機は、外箱と、前記外箱内に設けられる槽と、前記槽の上に設けられ、内部に給水経路を有し、外部の水源から供給される水を前記給水経路を通して前記槽内へ注水する注水部材と、前記注水部材の上にあり且つ前記注水部材に対して水平方向に重なる位置に設けられ、前記水源と前記注水部材との間の経路を開閉可能に接続する給水弁と、を備える。前記注水部材は、前記給水弁の下にあって前記給水弁から漏れた水を受ける受部と、前記受部にあって前記受部が受けた水を前記受部の外方へ導く導水経路と、前記受部の下にあり且つ前記受部に対して水平方向に重ならない位置にあって、前記導水経路に導かれた水を前記槽内へ導く導出部と、を有している。
【図面の簡単な説明】
【０００６】
【図１】一実施形態による洗濯機の外観を示す斜視図
【図２】洗濯機の外蓋および後カバーを除いた状態で示す平面図
【図３】給水装置周辺の構成を示す斜視図
【図４】給水装置を示す斜視図
【図５】注水ケースを示す斜視図
【図６】給水装置の投入ケースを除いた状態で示す正面図
【図７】図６のＡ−Ａ線に沿う横断平面図
【図８】図６のＢ−Ｂ線に沿う横断平面図
【図９】図６のＣ−Ｃ線に沿う縦断側面図
【発明を実施するための形態】
【０００７】
以下、一実施形態について、図面を参照して説明する。
図１に示すように、洗濯機１０は、トップカバー１１、外箱１２、水槽１３、および回転槽１４を備えている。洗濯機１０は、回転槽１４の回転軸が地面に対して重力方向へ延びるいわゆる縦軸型であり、乾燥機能を備えた全自動洗濯機である。トップカバー１１は、枠体１１１、外蓋１１２、後カバー１１３、および操作パネル１１４などから構成されている。以下、重力方向を基準に上下を定め、また操作パネル１１４側を洗濯機１０の前方として説明する。
【０００８】
トップカバー１１は、全体として上面が前方へ向かって下降傾斜する形状に形成されている。具体的には、枠体１１１は、例えば合成樹脂製であり、全体として上下方向に連通する矩形の筒状に形成され、上側部分が前方へ向かって下降傾斜している。外蓋１１２は、合成樹脂製であり、矩形の板状に形成されて枠体１１１の上側を覆っている。この外蓋１１２は、後端部分を支点にして枠体１１１に対し回動可能であるとともに、中心部分で前後に分割されて、この中心部分を支点に折れ曲がる二つ折れ式である。これにより、外蓋１１２は、枠体１１１の上下方向の連通部分の上側、すなわち枠体１１１の開口を開閉する。
【０００９】
また、後カバー１１３は、例えば合成樹脂製などで構成されている。この後カバー１１３は、左右方向に長い矩形の板状に形成された上面部と、この上面部と同様に板状に形成されて上面部の後端部に直角に設けられた背面部と、を一体にして構成されている。この後カバー１１３は、枠体１１１の上側であって外蓋１１２の後方に固定され、外蓋１１２とともに枠体１１１の上側を覆い、さらに枠体１１１の後側を覆っている。
【００１０】
操作パネル１１４は、左右方向に長い矩形の板状に形成され、外蓋１１２に対して後カバー１１３とは反対側に設けられている。これら外蓋１１２、後カバー１１３、および操作パネル１１４は、トップカバー１１の上面を構成している。操作パネル１１４は、詳細は図示しないが、操作部や表示部などを有し、洗濯機１０の作動全般を司る図示しない制御装置に接続されている。使用者は操作パネル１１４の操作部を操作して、例えば洗い運転や乾燥運転などの運転モードを選択する。そして、その選択結果や運転状態などは表示部に表示される。
【００１１】
外箱１２は、鋼板などによって、上側が開口した矩形の箱体に形成されている。トップカバー１１は、外箱１２の上側に設けられ、外箱１２の上側の開口を覆っている。この場合、トップカバー１１および外箱１２は、洗濯機１０の外殻を構成している。外箱１２の内部には、槽として水槽１３および回転槽１４が設けられている。水槽１３は、中心軸が上下方向へ延びる円筒状に形成されて、外箱１２の内部に収容されている。水槽１３の上面には、図３に示す水槽カバー１５が設けられている。
【００１２】
水槽カバー１５には、図３に示すように開口部１５１が形成されており、さらに図２に示すように、この開口部１５１を開閉する内蓋１５２が設けられている。また、水槽カバー１５には、図３に示すように、開口部１５１の後方において、給気口１６、排気口１７、および注水口１８が設けられている。給気口１６、排気口１７、および注水口１８は、水槽カバー１５を貫いて水槽１３の内部に連通している。そして、この水槽１３は、詳細は図示しないが、外箱１２の四隅から垂れ下がる防振装置に吊り下げられている。これにより、水槽１３は外箱１２に対して弾性的に支持されている。
【００１３】
回転槽１４は、上側が開口した円筒状に形成されて、水槽１３の内部に収容されている。回転槽１４は、上下方向へ延びる回転軸を水槽１３の中心軸と一致させて、この回転軸を中心に水槽１３に対して相対的に回転する。この場合、詳細は図示しないが、回転槽１４の底部付近には、撹拌羽根いわゆるパルセータが回転槽１４に対して相対回転可能に設けられている。このパルセータは、回転されることにより回転槽１４内の洗濯水に水流を起こし、これにより回転槽１４内に収容された洗濯物が洗濯される。
【００１４】
水槽１３の下面外側には、パルセータおよび回転槽１４を回転駆動する駆動装置が設けられている。駆動装置は、モータやクラッチなどで構成されている。この駆動装置は、洗濯、すすぎ運転時には、回転槽１４に対して図示しないパルセータを相対的に回転させて、回転槽１４内部の洗濯水に水流を起こす。また、脱水運転時には、回転槽１４および図示しないパルセータを一体的に一方向へ高速回転させて、これにより洗濯物を遠心脱水する。この場合、モータは、例えばその回転力を回転槽１４およびパルセータに対して直接伝達する、いわゆるダイレクトドライブモータでもよいし、また、例えばブラシレスモータと減速機とを組み合わせたものでもよい。
【００１５】
この構成において、洗濯物は、外蓋１１２および内蓋１５２を開放した状態で、枠体１１１の内側、水槽カバー１５の開口部１５１、および回転槽１４の開口を通して出し入れされる。また、回転槽１４は、詳細は図示しないが、円筒状の筒状部分の全域に複数の孔が形成されている。この複数の孔は、洗濯運転時および脱水運転時には水が出入りする通水孔として機能し、乾燥運転時には空気が出入りする通風孔として機能する。
【００１６】
また、洗濯機１０は、温風供給装置１９および給水装置２０を備えている。これら温風供給装置１９および給水装置２０は、トップカバー１１の後部である後カバー１１３の内側において、左右に並べて配置されている。この場合、温風供給装置１９は、図２に示すように、後カバー１１３の右側部分に位置してトップカバー１１の内部に設けられている。温風供給装置１９は、詳細は図示しないが、給気口１６および排気口１７に接続されて、これにより、温風供給装置１９と、水槽１３および回転槽１４とを循環する風路が形成されている。この温風供給装置１９は、内部に図示しない送風機やヒータなどを有しており、これにより、水槽１３および回転槽１４内へ洗濯物の乾燥用の温風を供給する。
【００１７】
給水装置２０は、図２および図３に示すように、後カバー１１３の左側部分に位置してトップカバー１１の内部に設けられている。この給水装置２０は、図４に示すように、主に、注水部材としての注水ケース２１、給水弁２２、ポンプ装置２３などから構成されている。具体的には、注水ケース２１は、図５に示すケース本体２４、覆い部材２５、および図３に示す投入ケース２６などから構成されている。これらケース本体２４、覆い部材２５、および投入ケース２６は、合成樹脂などで構成されている。ケース本体２４は、全体として上側が開口した箱状に形成されている。覆い部材２５は、ケース本体２４の上側に設けられ、ケース本体２４の上側の開口を覆っている。この場合、ケース本体２４と覆い部材２５とは、水密に構成されている。
【００１８】
また、注水ケース２１は、その一部つまり左後部が窪んだ形状に形成されている。この場合、注水ケース２１の左後部の窪み部分は、ケース本体２４の構成要素の一部である、受部２４１、後壁部２４２、および右壁部２４３によって形成されている。受部２４１は、左右方向に長い矩形に形成されて、注水ケース２１の上側の壁を構成する覆い部材２５よりも低い位置に設けられている。また、後壁部２４２は、受部２４１の前側の縁部に沿って設けられ、ケース本体２４の後側面の一部を構成している。右壁部２４３は受部２４１の右側の縁部に沿って設けられている。つまり、後壁部２４２および右壁部２４３は、受部２４１の隣接する二つの縁部すなわち前側および右側の二つの縁部を囲んでいる。
【００１９】
注水ケース２１は、ケース本体２４に一体に形成された導水壁２４４および導水溝２４５を有している。導水壁２４４は、受部２４１の外側つまり後側に設けられている。この導水壁２４４は、受部２４１の後側の縁部に沿って左右方向へ延び、さらに、受部２４１の左側の縁部の後部まで延びている。この場合、受部２４１と導水壁２４４との間には、これら受部２４１および導水壁２４４によって、受部２４１の上面よりも低い溝形状の第一導水経路２７が形成されている。また、導水溝２４５は、受部２４１において、前後方向の中央部分を半円形状に窪ませて形成されている。この導水溝２４５は、受部２４１の左側の縁部から、左右方向のほぼ中央部分まで延びている。この場合、導水溝２４５によって、第二導水経路２８が形成されている。
【００２０】
さらに、注水ケース２１は、二個の連通孔２４６を有している。二個の連通孔２４６は、ケース本体２４の受部２４１において、導水溝２４５に対して前後方向の両側に形成されている。そして、二個の連通孔２４６は、導水溝２４５に対して平行であって左右方向へ延びる矩形状に形成され、受部２４１を貫いている。これにより、注水ケース２１は、二個の連通孔２４６によって、その外部と内部とが連通されている。
【００２１】
また、注水ケース２１は、第一接続部２９および第二接続部３０を有している。これら第一接続部２９および第二接続部３０は、円筒形に形成されて、右壁部２４３を貫いている。このため、第一接続部２９および第二接続部３０は、注水ケース２１の外部と内部とを連通している。この場合、第一接続部２９および第二接続部３０は、ケース本体２４における右壁部２４３に一体に形成されている。
【００２２】
また、注水ケース２１は、第三接続部３１、呼び水ホース接続部３２、および図６に示す吐出口３３を有している。図５に示すように、第三接続部３１は、注水ケース２１の左側部分、つまりケース本体２４の左側面を構成する左壁部２４９の上部に設けられている。この第三接続部３１は、円筒形に形成されて、左壁部２４９を貫いている。このため、第三接続部３１は、注水ケース２１の内部と外部とを連通している。この場合、第三接続部３１は、ケース本体２４の左壁部２４９に一体に形成されている。
【００２３】
呼び水ホース接続部３２は、注水ケース２１の右側部分において、覆い部材２５の上側に設けられている。この場合、呼び水ホース接続部３２は、覆い部材２５の上側面から上方へ突出し、さらにそこから円筒形の部材が前方へ突出して構成されている。この呼び水ホース接続部３２は、注水ケース２１の内部と外部とを連通している。この場合、呼び水ホース接続部３２は、覆い部材２５に一体に形成されている。
【００２４】
そして、吐出口３３は、図６に示すように、注水ケース２１の前面部分、つまりケース本体２４の前面右側の下部に設けられている。吐出口３３は、円筒形に形成され、ケース本体２４を貫いている。このため、吐出口３３は、ケース本体２４の外部と内部とを連通している。そして、吐出口３３は、図９に示すように、注水ホース３４を介して、注水口１８に接続されている。これにより、注水ケース２１の内部と水槽１３の内部とは、注水ホース３４を介して接続されている。
【００２５】
注水ケース２１の後部の窪み部分つまり受部２４１の上側には、給水弁２２が設けられている。つまり、給水弁２２は、注水ケース２１の上方にあって且つ注水ケース２１に対して水平方向に重なる位置に設けられている。給水弁２２は、二個の電磁弁を一体に構成したいわゆる二連式の電磁弁である。給水弁２２は、図７に示すように二個の出口部すなわち第一出口部２２１および第二出口部２２２と、図４に示すように一個の入口部２２３と、を有している。この給水弁２２は、図５に示す注水ケース２１に一体に形成された二箇所の取付け部２１５、２１６に、ねじをねじ込んで取付けられている。
【００２６】
また、給水弁２２は、図７に示すように、第一出口部２２１および第二出口部２２２が、それぞれ注水ケース２１の第一接続部２９および第二接続部３０に差し込まれている。これにより、給水弁２２と注水ケース２１とが接続されている。一方、入口部２２３は、図１に示すように、トップカバー１１の後カバー１１３から上方へ露出されている。そして、この入口部２２３は、詳細は図示しないが、給水ホースを介して外部の水源である水道の蛇口に接続される。これにより、給水弁２２は、外部の水源と注水ケース２１の内部との間の経路を、開閉可能に接続している。
【００２７】
また、図６に示すように、注水ケース２１は、ケース本体２４の前面側に形成された開口部２４７を有している。開口部２４７は、ケース本体２４の前壁部２４８を矩形に貫き、注水ケース２１の外部と内部とを連通している。投入ケース２６は、詳細は図示しないが、開口部２４７の内側を通して出し入れ可能に設けられている。この投入ケース２６は、詳細は図示しないが、箱状に形成されている。そして、この投入ケース２６は、その内部に仕上げ剤などの補助剤が投入されて注水ケース２１内へ差し込まれる。これにより、仕上げ剤などの補助剤は、注水ケース２１の内部に投入される。
【００２８】
ケース本体２４には、ポンプ装置２３を載置する載置台３７が一体に形成されている。載置台３７は、図５に示すように、底壁３７１、前壁３７２、左壁３７３、弾性変形部３７４、および二個の爪部３７５などを有して構成されている。底壁３７１は、前後方向に長い矩形の板状に形成され、ケース本体２４の左側にあって受部２４１よりも低い位置に設けられている。この場合、底壁３７１は、上側の面がほぼ水平となるように設けられている。また、底壁３７１は、右前側の角の一部が切欠かれている。
【００２９】
前壁３７２は、板状に形成されて、底壁３７１に対して直角に配置され、底壁３７１の前側の縁部に沿って設けられている。また、左壁３７３は、板状に形成されて、底壁３７１に対して直角に配置され、底壁３７１の右側の縁部に沿って設けられ、前後方向の途中部分まで延びている。この場合、前壁３７２と左壁３７３とは繋がっている。また、前壁３７２は、その右縁部が、ケース本体２４の左壁部２４９に繋がっている。そして、底壁３７１の右前側の切欠かれた角部と、ケース本体２４の左壁部２４９の下部と、前壁３７２の右下部と、によって、導出孔２１１が形成されている。この場合、導出孔２１１は、受部２４１の下方にあって且つ受部２４１に対して水平方向に重ならない位置に形成されている。そして、この導出孔２１１は、水槽１３の上方すなわち水槽カバー１５の上方に位置している。
【００３０】
弾性変形部３７４は、底壁３７１の後側において左右方向の中央部付近に設けられている。この弾性変形部３７４は、上下方向に長い矩形の板状に形成されて、底壁３７１に対して直角に配置されている。この場合、弾性変形部３７４は、下端部が底壁３７１に繋がって、前壁３７２に対して平行に設けられている。この弾性変形部３７４は、底壁３７１との接続部分を支点にして、前後方向に弾性変形する。そして、二個の爪部３７５は、前壁３７２および弾性変形部３７４において、対向する位置に設けられている。
【００３１】
ポンプ装置２３は、図４に示すように、載置台３７の上側に載置されている。この場合、ポンプ装置２３は、矩形の板状に形成された基台２３１に、ポンプ本体２３２およびタンク２３３などを取付けて構成されている。このポンプ装置２３は、基台２３１の上側面の前後部分が載置台３７の二個の爪部３７５に係止されている。これにより、ポンプ装置２３は、載置台３７に取外し可能に固定されている。
【００３２】
ポンプ装置２３のタンク２３３は、呼び水取水口２３４、風呂水取水口２３５、および風呂水吐出口２３６を有している。この場合、図４に示すように、呼び水取水口２３４は、呼び水ホース３５を介して呼び水ホース接続部３２に接続されている。また、風呂水吐出口２３６は、接続ホース３６を介して、図５に示す第三接続部３１に接続されている。一方、風呂水取水口２３５は、図１に示すように、トップカバー１１の後カバー１１３から上方へ露出されている。そして、この風呂水取水口２３５は、詳細は図示しないが、例えば風呂水を利用する際など必要に応じて風呂水ホースが接続される。これにより、風呂水取水口２３５は、図示しない風呂水ホースを介して浴槽内と接続される。
【００３３】
この注水ケース２１は、例えば、ねじなどによってトップカバー１１の枠体１１１に取付けられている。つまり、図２および図７に示すように、注水ケース２１には、後側部分に取付け部３８が設けられ、右側部分に取付け部３９が設けられている。また、載置台３７には、左後側の角部に取付け部４０が設けられている。注水ケース２１および載置台３７は、これら取付け部３８、３９、４０に、ねじをねじ込んで、枠体１１１に取付けられている。
【００３４】
次に、注水ケース２１の内部について説明する。注水ケース２１の内部には、複数の給水経路この場合第一から第三の三つの給水経路が、上下方向に立体的に形成されている。
具体的には、注水ケース２１の内部は、図７に示す上層部と、図８に示す下層部との二層で構成されている。この場合、注水ケース２１の下層部は、受部２４１に形成された連通孔２４６によって外部へ連通している。また、注水ケース２１は、図７に示すように、その内部の上層部において、第一隔壁２１２および第二隔壁２１３を有している。第一隔壁２１２は、第一接続部２９と第二接続部３０との間に設けられている。これにより、第一隔壁２１２は、注水ケース２１の内部の上層部を前後方向に区分している。この場合、注水ケース２１の内部の上層部において、第一隔壁２１２の後方の空間は第一給水経路４１を構成している。
【００３５】
また、第二隔壁２１３は、後壁部２４２と、注水ケース２１の前側面を構成する前壁部２４８との間において、第一隔壁２１２から左壁部２４９に亘って右壁部２４３および前壁部２４８に対してほぼ平行に設けられている。これにより、第二隔壁２１３は、注水ケース２１の内部の上層部を、第二隔壁２１３に対して給水弁２２側の空間と、給水弁２２とは反対側の空間に区分している。この場合、第二隔壁２１３に対して給水弁２２側の空間は第二給水経路４２を構成し、給水弁２２とは反対側の空間は第三給水経路４３を構成している。
【００３６】
第一給水経路４１は、外部の水源例えば水道から供給される水を、直接水槽１３内へ注水する経路である。この第一給水経路４１は、図７〜図９に矢印Ｄ１で示されている。第一給水経路４１の入口は、第一接続部２９によって構成されている。すなわち、第一給水経路４１の入口つまり第一接続部２９は、給水弁２２の第一出口部２２１に接続されている。第一出口部２２１から第一給水経路４１内に供給された水は、その大部分が、図９の矢印Ｄ１に示すように、第一隔壁２１２の前側付近で落下し、その後、第一給水経路４１の出口４１１から吐出される。そして、出口４１１から吐出された水は、吐出口３３および注水ホース３４を通って水槽１３内へ注水される。
【００３７】
また、第一給水経路４１の入口付近の上方には呼び水ホース接続部３２が設けられている。そのため、第一出口部２２１から第一給水経路４１内に供給された水は、その一部が、図６および図９の矢印Ｅに示すように、呼び水ホース接続部３２から呼び水ホース３５へ流れる。そして、呼び水ホース３５へ流入した水は、呼び水取水口２３４およびタンク２３３を介してポンプ本体２３２内へ供給される。この場合、呼び水取水口２３４からポンプ本体２３２へ供給される水は、ポンプ本体２３２が風呂水を汲み上げる際の呼び水として機能する。
【００３８】
第二給水経路４２は、外部の水源例えば水道から供給される水に、仕上げ剤などを溶かして水槽１３内へ注水する経路である。この第二給水経路４２は、図７〜図９に矢印Ｄ２で示されている。第二給水経路４２の入口は、第二接続部３０によって構成されている。すなわち、第二給水経路４２の入口つまり第二接続部３０は、給水弁２２の第二出口部２２２に接続されている。第二出口部２２２から第二給水経路４２内に供給された水は、図７の矢印Ｄ２に示すように、第二隔壁２１３に対して給水弁２２側の空間を通り、そして、落下穴２１４から、この落下穴２１４の下方に位置する投入ケース２６内に落下する。その後、投入ケース２６内に落下した水は、詳細は図示しないが、投入ケース２６内に予め投入されていた仕上げ剤などの補助剤を溶かした後、図８および図９の矢印Ｄ２に示すように、第二給水経路４２の出口４２１から吐出される。そして、出口４２１から吐出された水は、吐出口３３および注水ホース３４を通って水槽１３内へ注水される。
【００３９】
第三給水経路４３は、ポンプ装置２３によって汲み上げられた風呂水などを水槽１３内へ注水する経路である。この第三給水経路４３は、図６〜図９に矢印Ｄ３で示されている。第三給水経路４３の入口は、第三接続部３１によって構成されている。すなわち、第三給水経路４３の入口つまり第三接続部３１は、接続ホース３６を介してポンプ装置２３の風呂水吐出口２３６に接続されている。ポンプ装置２３によって汲み上げられて、風呂水吐出口２３６から第三給水経路４３内に供給された風呂水は、図７の矢印Ｄ３に示すように、第二隔壁２１３に対して給水弁２２とは反対側の空間を通る。そして、図９の矢印Ｄ３に示すように、第一隔壁２１２付近で落下し、その後、第三給水経路４３の出口４３１から吐出される。そして、出口４３１から吐出された風呂水は、吐出口３３および注水ホース３４を通って水槽１３内へ注水される。
【００４０】
この構成において、給水弁２２と注水ケース２１との接続部分、つまり、第一出口部２２１および第二出口部２２２と、第一接続部２９および第二接続部３０との間に、例えば水漏れなどが生じると、その漏れた水は、受部２４１の上面に落下する。これにより、給水弁２２の下方に位置する受部２４１は、給水弁２２から漏れた水を受ける。そして、受部２４１で受けられた水は、第一導水経路２７および第二導水経路２８によって、受部２４１の左縁部から外方へ導かれる。この場合、導水壁２４４によって形成される第一導水経路２７は、給水弁２２に対して水平方向の外側に位置している。また、導水溝２４５によって形成される第二導水経路２８は、給水弁２２に対して水平方向の内側に位置している。
【００４１】
ここで、給水弁２２から漏れた水が少量であれば、その水は、第一導水経路２７および第二導水経路２８を伝って、受部２４１の左縁部から載置台３７の底壁３７１の上面へ流れ、導出孔２１１から水槽カバー１５の上面に落下する。この場合、導出孔２１１は、導出部として機能する。水槽カバー１５には、詳細は図示しないが、水槽カバー１５を貫いて水槽１３の内部に連通する導水孔が形成されている。導出孔２１１から水槽カバー１５の上面に落下した水は、水槽カバー１５に設けられた導水孔を通って水槽１３内へ落下する。これにより、給水弁２２から水が漏れた場合であっても、その水が、受部２４１の外方へ溢れ出ることを抑制することができる。
【００４２】
また、給水弁２２から漏れた水が比較的多い場合、その漏れた水の一部は、前述と同様に第一導水経路２７および第二導水経路２８を伝い、導出孔２１１から水槽カバー１５の導水孔を通って水槽１３内へ落下する。さらに、第一導水経路２７および第二導水経路２８の許容量を超えた水は、受部２４１に形成された連通孔２４６から、注水ケース２１の内部へ流れる。この場合、連通孔２４６は、図８に示す注水ケース２１内の下層部つまり第二給水経路４２に連通している。そのため、連通孔２４６から注水ケース２１の内部に落下した水は、第二給水経路４２を通り、吐出口３３および注水ホース３４を介して、水槽１３内へ流入する。
【００４３】
この構成によれば、給水弁２２は、注水ケース２１の受部２４１の上方に設けられている。つまり、給水弁２２は、注水ケース２１の上方にあって且つ注水ケース２１に対して水平方向に重なる位置に設けられている。このように、注水ケース２１および給水弁２２を、立体的に配置することによって、これら注水ケース２１および給水弁２２を効率良く配置することができる。これにより、平面方向において、注水ケース２１および給水弁２２が占める大きさが低減され、その結果、洗濯機１０の全体としての小型化を図ることができる。
【００４４】
また、注水ケース２１は、導水壁２４４によって形成されて給水弁２２に対して水平方向の外側に位置する第一導水経路２７と、導水溝２４５によって形成されて給水弁２２に対して水平方向の内側に位置する第二導水経路２８と、を有している。そして、第一導水経路２７および第二導水経路２８に導かれた水は、導出孔２１１から水槽カバー１５の上面へ落下し、図示しない導水孔から水槽１３内へ導かれる。これによれば、給水弁２２から漏れた水は、水槽１３内へ確実に導かれる。そのため、例えば注水ケース２１の周辺に電子部品などが設けられている場合であっても、給水弁２２から漏れた水が受部２４１から外方へ溢れ、その水が注水ケース２１周辺の電子部品などに影響を与えることを抑制することができる。
【００４５】
さらに、注水ケース２１は、受部２４１に、第二給水経路４２に連通する連通孔２４６が形成されている。これによれば、給水弁２２から漏れた水が比較的多い場合であっても、その漏れた水を、連通孔２４６から第二給水経路４２内へ導くことができる。その結果、例えば注水ケース２１の周辺に電子部品などが設けられている場合であっても、給水弁２２から漏れた水が受部２４１から外方へ溢れ、その水が注水ケース２１周辺の電子部品などに影響を与えることをより確実に抑制することができる。
【００４６】
なお、注水ケース２１の内部に形成される給水経路は、上記した三つの給水経路４１、４２、４３に限られず、四つ以上若しくは二つ以下であってもよい。
また、給水装置２０において、ポンプ装置２３は、左右逆に配置してもよい。つまり、載置台３７およびポンプ装置２３は、注水ケース２１の右側に設けてもよい。この場合、ケース本体２４の左壁部２４９に、導出孔２１１に代えて、例えば導出部として樋などを設け、導水経路２７、２８に導かれた水が樋を伝って水槽カバー１５の上面に落下するように構成すればよい。
さらに、取付け部２１５、２１６は、注水ケース２１の内部と連通していてもよいし、連通していなくてもよい。
また、導出孔２１１は、ホースなどによって水槽１３内に接続してもよい。
そして、温風供給装置１９および給水装置２０は、左右逆に配置してもよい。つまり、トップカバー１１の後カバー１１３の内部において、温風供給装置１９を左側に配置し、給水装置２０を右側に配置してもよい。
【００４７】
以上説明した実施形態によれば、給水弁を、注水部材の上であり且つ注水部材に対して水平方向に重なる位置に設けることで、給水弁および注水部材を立体的に効率良く配置することができ、その結果、洗濯機全体としてのさらなる小型化を図ることができる。
【００４８】
本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変更は、発明の範囲や要旨に含まれるとともに、特許請求の範囲に記載された発明とその均等の範囲に含まれる。
【符号の説明】
【００４９】
図面中、１０は洗濯機、１２は外箱、１３は水槽（槽）、１４は回転槽（槽）、２１は注水ケース（注水部材）、２２は給水弁、２１１は導出孔（導出部）、２４１は受部、２４４は導水壁、２４５は導水溝、２４６は連通孔、２７は第一導水経路（導水経路）、２８は第二導水経路（導水経路）、４１は第一給水経路（給水経路）、４２は第二給水経路（給水経路）、４３は第三給水経路（給水経路）を示す。
【図１】
0005804855.tif 000002
【図２】
0005804855.tif 000003
【図３】
0005804855.tif 000004
【図４】
0005804855.tif 000005
【図５】
0005804855.tif 000006
【図６】
0005804855.tif 000007
【図７】
0005804855.tif 000008
【図８】
0005804855.tif 000009
【図９】
0005804855.tif 000010